(57)【要約】【課題】  小型化を図りつつセンサの出力に基づく点灯制御機能を持続させることができるＬＥＤモジュールを提供する。【解決手段】  ＬＥＤモジュール１は、複数のＬＥＤ１１ａが直列に接続されてなる発光部１１と、センサユニット１２と、外部電源から発光部１１に電力を供給する電力供給路に介挿された電力遮断回路１３と、センサユニット１２の出力に応じて電力遮断回路１３を制御する制御回路１４と、二次電池１６と、外部電源から発光部１１へ電圧が供給されている期間中、発光部１１を構成する複数のＬＥＤ１１ａの一部の両端間に生じる電圧を制御回路１４に供給し、他方、外部電源から発光部１１への電圧供給が遮断されている期間中、二次電池１６から出力される電圧を制御回路１４に供給する電圧供給回路１７とを備える。【選択図】図１
2014017184.tif 000002
【特許請求の範囲】
【請求項１】
複数のＬＥＤが直列に接続されてなる発光部と、
センサユニットと、
外部電源から前記発光部に電力を供給する電力供給路に介挿された電力遮断回路と、
前記センサユニットの出力に応じて前記電力遮断回路の電力供給を制御する制御回路と、
内部電源と、
前記電力遮断回路を通じて前記外部電源から前記発光部へ電力を供給している期間中、前記発光部を構成する複数のＬＥＤのうちの一群のＬＥＤの間に生じる電圧を前記制御回路に供給し、他方、前記電力遮断回路が前記外部電源から前記発光部への電力供給を遮断している期間中、前記内部電源から出力される電圧を前記制御回路に供給する電圧供給回路とを備える
ことを特徴とするＬＥＤモジュール。
【請求項２】
充電回路を更に備え、
前記内部電源は、二次電池からなり、
前記充電回路は、前記電力遮断回路が前記外部電源から前記発光部へ電力を供給している期間中において、前記電圧供給回路からの電圧供給を受けて前記二次電池を充電する
ことを特徴とする請求項１記載のＬＥＤモジュール。
【請求項３】
前記制御回路は、更に、前記電力遮断回路が前記外部電源から前記発光部への電力供給を遮断している期間中において、前記内部電源の出力電圧が基準電圧以下に達したことを検出すると、前記センサユニットの出力に関係なく、前記電力遮断回路が前記外部電源から前記発光部への電力供給を再開する
ことを特徴とする請求項２記載のＬＥＤモジュール。
【請求項４】
前記電圧供給回路は、
前記一群のＬＥＤの高電位側と前記制御回路との間に順方向に接続された第１ダイオードと、
前記内部電源と前記制御回路との間に順方向に接続された第２ダイオードとを備える
ことを特徴とする請求項１乃至３のいずれか１項に記載のＬＥＤモジュール。
【請求項５】
前記センサユニットは、人感センサ、明るさセンサおよび信号受信機のうち少なくとも一つの機能を有する
ことを特徴とする請求項１乃至４のいずれか１項に記載のＬＥＤモジュール。
【請求項６】
請求項１乃至５のいずれか１項に記載のＬＥＤモジュールを備える
ことを特徴とする照明装置。
【請求項７】
複数のＬＥＤが直列に接続されてなる発光部と、
センサユニットと、
前記センサユニットの出力に応じて前記発光部に供給される電力を制御するための制御電圧を出力する制御回路と、
前記制御回路から出力される制御電圧を外部に出力する外部出力手段と、
を有するＬＥＤモジュールと、
第１電源と、
前記第１電源から前記発光部に電力を供給する電力供給路に介挿された電力遮断回路と、
前記外部出力手段から出力される制御電圧に基づいて前記電力遮断回路の電力供給を制御する電力供給制御回路と
を有する点灯装置とを備え、
前記ＬＥＤモジュールは、更に、
第２電源と、
前記第１電源から前記発光部へ電圧が供給されている期間中、前記発光部を構成する複数のＬＥＤの一部の両端間に生じる電圧を前記制御回路に供給し、前記第１電源から前記発光部への電圧供給が遮断されている期間中、前記第２電源から出力される電圧を前記制御回路に供給する電圧供給回路とを有する
ことを特徴とする照明装置。
【発明の詳細な説明】
【技術分野】
【０００１】
本発明は、ＬＥＤモジュールおよびこれを備えた照明装置に関し、特に、回路構成に関するものである。
【背景技術】
【０００２】
従来から、人感センサにより人の存在を検知するとＬＥＤ（Ｌｉｇｈｔ  Ｅｍｉｔｔｉｎｇ  Ｄｉｏｄｅ）を点灯させる照明装置が提案されている（特許文献１参照）。
特許文献１に記載された照明装置は、マイコンユニット（以下、「制御回路」と称する。）が、人感センサの出力電圧に応じて、直列に接続された複数のＬＥＤからなる発光部を点灯消灯する。ここでは、制御回路の駆動に必要な電圧（以下、「駆動電圧」と称する。）が、外部電源から供給される発光部の点灯に必要な電圧に比べて低いため、外部電源から供給される電圧を制御回路の駆動電圧に降圧して出力する専用の電圧源が必要となる。
【０００３】
ところで、特許文献１に記載された照明装置では、専用の電圧源を備える分、回路規模が増大してしまい照明装置の小型化を図りにくい。
これに対して、従来から、発光部内の複数のＬＥＤの一部の両端間に生じる分圧された電圧を制御回路の駆動電圧として利用する電源装置が提案されている（特許文献２参照）。特許文献２に記載された電源装置では、制御回路専用の電圧源が不要となるので電源装置の小型化を図ることができる。
【先行技術文献】
【特許文献】
【０００４】
【特許文献１】特開２０１０−２８７４０３号公報
【特許文献２】特開２００８−２７８６４０号公報
【発明の概要】
【発明が解決しようとする課題】
【０００５】
ところで、特許文献２に記載された技術を特許文献１に記載されたセンサの出力に基づいてＬＥＤを点灯消灯させる機能を有する照明装置に適用して、発光部内の複数のＬＥＤの一部の両端間に生じる分圧された電圧を制御回路に供給する構成が考えられる。
しかしながら、この構成では、センサの出力に基づいて、一度、ＬＥＤを消灯させるためにＬＥＤに流れる電流を遮断すると、制御回路への電圧供給も遮断され、制御回路が停止してしまう。すると、以後センサの出力に基づいてＬＥＤを再点灯させることができなくなってしまう。
【０００６】
本発明は、上記事由に鑑みてなされたものであり、小型化を図りつつセンサの出力に基づいてＬＥＤを点灯消灯させる機能を持続させることができるＬＥＤモジュールを提供することを目的とする。
【課題を解決するための手段】
【０００７】
上記課題を解決するために、本発明に係るＬＥＤモジュールは、発光部と、センサユニットと、電力遮断回路と、制御回路と、電圧供給回路とを備える。発光部は、複数のＬＥＤが直列に接続されてなる。電力遮断回路は、外部電源から発光部に電力を供給する電力供給路に介挿されている。制御回路は、センサユニットの出力に応じて電力遮断回路の電力供給を制御する。電圧供給回路は、電力遮断回路を通じて外部電源から発光部へ電力を供給している期間中、発光部を構成する複数のＬＥＤのうちの一群のＬＥＤの間に生じる電圧を制御回路に供給し、他方、電力遮断回路が外部電源から発光部への電力供給を遮断している期間中、内部電源から出力される電圧を制御回路に供給する。
【発明の効果】
【０００８】
本構成によれば、外部電源から発光部へ電力を供給している期間中、電圧供給回路は、発光部を構成する複数のＬＥＤの一部の両端間に生じる電圧を制御回路に供給する。これにより、制御回路の駆動電圧が、外部電源の出力電圧に比べて低くても、外部電源から供給される電圧を制御回路の駆動電圧に降圧するための専用の電圧源が不要になるので、回路規模の縮小を図ることができ、ひいてはＬＥＤモジュールの小型化を図ることができる。
【０００９】
また、外部電源から発光部への電力供給が遮断されている期間中、電圧供給回路は、内部電源から出力される電圧を制御回路に供給する。これにより、外部電源から発光部への電力供給が遮断されても制御回路への電圧供給を継続することができる。従って、外部電源から発光部への電力供給が遮断されている期間中であっても、制御回路は、センサユニットの出力に応じて電力遮断回路を制御し、外部電源から発光部への電力供給を再開することができる。つまり、センサユニットの出力に基づいてＬＥＤを点灯消灯させる機能を持続させることができる。
【図面の簡単な説明】
【００１０】
【図１】実施の形態１に係る照明装置の回路図である。
【図２】実施の形態１に係る制御回路および充電回路の回路図である。
【図３】実施の形態１に係るＬＥＤモジュールの動作を説明するためのタイムチャートである。
【図４】実施の形態１に係るＬＥＤモジュールの動作を説明するためのタイムチャートである。
【図５】（ａ）は、実施の形態１に係るＬＥＤモジュールの外観を示す斜視図であり、（ｂ）は、実施の形態１に係るＬＥＤモジュールおよび点灯装置を備えた照明装置の斜視図である。
【図６】実施の形態２に係るＬＥＤモジュールおよび点灯装置の回路図である。
【図７】実施の形態２に係る制御回路および調光切替回路の回路図である。
【図８】実施の形態２に係るＬＥＤモジュールについて、制御回路のセンサ入力端子に入力される電圧と、トランジスタのオンオフとの関係をまとめた表である。
【図９】実施の形態３に係るＬＥＤモジュールおよび点灯装置の回路図である。
【図１０】実施の形態３に係る負荷判別回路の回路図である。
【発明を実施するための形態】
【００１１】
＜実施の形態１＞
＜１＞回路構成
本実施の形態に係る照明装置の回路図を図１に示す。
照明装置は、ＬＥＤモジュール１と、点灯装置２とを備える。
＜１−１＞点灯装置
点灯装置２は、直流電源（外部電源）２０と、直流電源２０の高電位側の出力端に接続された定電流源２１とから構成される。また、点灯装置２は、ＬＥＤモジュール１の正極端子ａ１に接続される正極端子ａ２と、ＬＥＤモジュール１の負極端子ｂ１に接続される負極端子ｂ２とを備える。
【００１２】
＜直流電源＞
直流電源２０は、例えば、商用電源に接続されたダイオードブリッジ等からなる整流回路の出力端間に脈流平滑用のコンデンサを接続した構成からなる。そして、コンデンサの高電位側が、定電流源２１を介して正極端子ａ２に接続され、コンデンサの低電位側の出力端が負極端子ｂ２に接続されている。なお、直流電源２０が、整流回路および平滑用コンデンサと、定電流源２１との間に、入力力率改善用のいわゆるＰＦＣ（Ｐｏｗｅｒ  Ｆａｃｔｏｒ  Ｃｏｒｒｅｃｔｉｏｎ）回路を介挿した構成であってもよい。また、直流電源２０は、例えば、一次電池からなるものであってもよい。
【００１３】
＜定電流源＞
定電流源２１は、直流電源２０の高電位側の出力端と正極端子ａ２との間に介挿され、直流電源２０から正極端子ａ２に流れ込む電流が略一定となるようにしている。定電流源２１は、例えば、直流電源２０の高電位側の出力端と正極端子ａ２との間に介挿されたスイッチング素子および電流検出用抵抗と、電流検出用抵抗の両端間に生じる電圧に基づいてスイッチング素子をオンオフさせる制御回路とを備えるものであってもよい。また、スイッチング素子は、トランジスタ等から構成すればよい。
【００１４】
＜１−２＞ＬＥＤモジュール
図１に示すように、ＬＥＤモジュール１は、発光部１１、センサユニット１２、電力遮断回路１３、制御回路１４、充電回路１５、二次電池１６、電圧供給回路１７を備える。また、ＬＥＤモジュール１は、点灯装置２からの電力供給を受けるための正極端子ａ１、負極端子ｂ１を備える。
【００１５】
＜発光部＞
発光部１１は、複数のＬＥＤ１１ａが直列に接続された直列回路からなる。発光部１１を構成する複数のＬＥＤ１１ａは、高電位側の一部（以下、「第１群」と称する。）Ａ１と、高電位側の一部（以下、「第２群」と称する。）Ａ２との２つに区分される。
なお、発光部１１を構成するＬＥＤ１１ａは、ＬＥＤモジュール１の発光にむらがでないように、互いに電気特性及び光学特性が同一若しくは類似していることが好ましい。また、発光部１１を構成するＬＥＤ１１ａの個数は、発光部１１の両端間の電圧が直流電源２０の出力電圧を上回らない範囲であれば、特に限定されない。
【００１６】
＜センサユニット＞
センサユニット１２は、発光部１１からの光が照射され得る空間（以下、「照明空間」と称する。）に人が存在するか否かを検出するいわゆる人感センサとして機能する。
センサユニット１２は、例えば、焦電素子を用いた赤外線センサと、赤外線センサの出力を増幅する増幅回路と、増幅回路からの出力変動を検出する微分回路と、微分回路の出力の絶対値を２値レベルの電圧に変換して出力する２値レベル電圧出力回路とを備える。このセンサユニット１２は、人の動きを検知することにより照明空間内の人の存否を判定する。また、センサユニット１２は、接地端子ｔｅ１０と、電源端子ｔｅ１１と、出力端子ｔｅ１２とを備える。接地端子ｔｅ１０は、負極端子ｂ１に接続され、電源端子ｔｅ１１は、電圧供給回路１７に接続されている。ここで、センサユニット１２の一部を構成する増幅回路、微分回路および２値レベル電圧出力回路は、電源端子ｔｅ１１から電圧供給を受けて駆動する。
【００１７】
センサユニット１２は、人を検知するか否かに応じて異なるレベルの電圧を出力する。例えば、センサユニット１２は、人を検知した場合、出力端子ｔｅ１２から第１レベルの電圧を出力し、人を検知しない場合、出力端子ｔｅ１２から第１レベルよりも低い第２レベルの電圧を出力する。例えば、第１レベルは、３．５Ｖ乃至５．０Ｖに設定され、第２レベルは、略０Ｖに設定される。
【００１８】
なお、赤外線センサは、焦電素子を用いた熱型赤外線センサに限定されるものではなく、フォトダイオードやフォトトランジスタ等を用いた量子型赤外線センサであってもよい。また、センサユニット１２は、赤外線センサを利用したものに限定されるものではなく、例えば、可視光センサやマイクロ波を用いたドップラセンサを利用したものであってもよい。
【００１９】
＜電力遮断回路＞
電力遮断回路１３は、点灯装置２から発光部１１に電力を供給したり遮断したりする。
電力遮断回路１３は、トランジスタＴｒ１，Ｔｒ２と、コンデンサＣ１と、抵抗Ｒ１，Ｒ２，Ｒ３，Ｒ４とを備える。トランジスタＴｒ１は、ＰＮＰ型バイポーラトランジスタからなり、正極端子ａ１と発光部１１の高電位側の入力端との間に接続されている。トランジスタＴｒ２は、Ｎチャネル型ＭＯＳＦＥＴからなり、ソースが負極端子ｂ１に接続され、ゲートが制御回路１４の第１出力端子ｔｅ２に接続されている。ここで、トランジスタＴｒ２がオンすると、トランジスタＴｒ１のベース電圧が負極端子ｂ１の電圧に略等しくなり、トランジスタＴｒ１にベース電流が流れ、トランジスタＴｒ１がオンする。一方、トランジスタＴｒ２がオフすると、トランジスタＴｒ１のエミッタ電圧とベース電圧とが略等しくなり、トランジスタＴｒ１に流れるベース電流が遮断されトランジスタＴｒ１がオフする。コンデンサＣ１および抵抗Ｒ１は、トランジスタＴｒ１のエミッタ−ベース間に並列に接続されている。このコンデンサＣ１および抵抗Ｒ１は、トランジスタＴｒのオンオフ時に生じるサージ電圧を吸収するいわゆるスナバ回路として機能する。
【００２０】
なお、トランジスタＴｒ１は、ＮＰＮ型バイポーラトランジスタからなるものであってもよい。この場合、トランジスタＴｒ２をＰチャネル型ＭＯＳＦＥＴにすればよい。また、トランジスタＴｒ１が、ＦＥＴからなるものであってもよいし、トランジスタＴｒ２がバイポーラトランジスタからなるものであってもよい。
＜二次電池＞
二次電池（内部電源）１６は、正極が充電回路１５および電圧供給回路１７に接続され、負極が負極端子ｂ１に接続されている。この二次電池１６は、例えば、リチウムイオン電池等の小型高容量の電池から構成される。また、二次電池１６の出力電圧の範囲（以下、「基準電圧範囲」と称する。）は、制御回路１４やセンサユニット１２の駆動電圧等に基づいて予め設定されている。例えば、制御回路１４やセンサユニット１２の駆動電圧が１２Ｖであれば、基準電圧範囲は、１３Ｖ以上且つ１５Ｖ以下に設定すればよい。
【００２１】
なお、二次電池１６としては、鉛蓄電池やリチウムイオンポリマ電池、ニッケル水素蓄電池、ニッケルカドミウム蓄電池、ニッケル鉄蓄電池、ニッケル亜鉛蓄電池、酸化銀亜鉛蓄電池等を用いてもよい。
＜充電回路＞
充電回路１５は、電圧供給回路１７と二次電池１６との間に介挿されており、電圧供給回路１７から二次電池１６に電流を供給したり、二次電池１６への電流供給を遮断したりする。
【００２２】
図２に示すように、充電回路１５は、１つのＩＣパッケージからなり、ダイオードＤ１５と、トランジスタＴｒ１５と、抵抗Ｒ１５，Ｒ１６と、第１、第２、第３端子ｔｅ２０，ｔｅ２１，ｔｅ２２とを備える。ダイオードＤ１５は、アノードが電圧供給回路１７に接続され、カソードがトランジスタＴｒ１５に接続されている。トランジスタＴｒ１５は、ソースが抵抗Ｒ１５を介して二次電池１６の正極に接続され且つゲートが制御回路１４の第２出力端子ｔｅ４に接続されるとともに、ドレインがダイオードＤ１５のカソードに接続されている。トランジスタＴｒ１５がオンすると、電圧供給回路１７から二次電池１６に電流が供給される。一方、トランジスタＴｒ１５がオフすると、二次電池１６への電流供給が遮断される。トランジスタＴｒ１５は、Ｎチャネル型ＭＯＳＦＥＴから構成されている。ここで、抵抗Ｒ１５は、二次電池１６の充電の際、二次電池１６に過電流が流れ込むのを防止するための限流用抵抗である。また、抵抗Ｒ１６は、トランジスタＴｒ１５のゲート−ドレイン間に接続されている。抵抗Ｒ１６は、いわゆるプルアップ用抵抗であり、後述の制御回路１４２のトランジスタＴｒ１４２がオフのときにトランジスタＴｒ１５のゲートをダイオードＤ１５のカソード電位に略等しい電位まで引き上げる。これにより、トランジスタＴｒ１５のゲート電位をトランジスタＴｒ１５のソース電位、即ち、二次電池１６の高電位側の電位よりもトランジスタＴｒ１５のターンオン電圧分だけ高い電位まで引き上げてトランジスタＴｒ１５をオンさせることが可能となる。
【００２３】
なお、充電回路１５は、１つのＩＣパッケージからなるものに限定されるものではなくディスクリート部品を組み合わせてなるものであってもよい。
＜制御回路＞
図１に示すように、制御回路１４は、センサユニット１２から入力される電圧や二次電池１６の出力電圧に応じて、電力遮断回路１３のトランジスタＴｒ２をオンオフさせたり、充電回路１５のトランジスタＴｒ１５をオンオフさせたりする。この制御回路１４の内部構成の詳細については後述する。
【００２４】
制御回路１４は、接地端子ｔｅ０と、電源端子ｔｅ１と、第１出力端子ｔｅ２と、センサ入力端子ｔｅ３と、第２出力端子ｔｅ４と、検出端子ｔｅ５とを備える。接地端子ｔｅ０は、負極端子ｂ１に接続されている。電源端子ｔｅ１は、電圧供給回路１７に接続されている。第１出力端子ｔｅ２は、電力遮断回路１３の一部を構成するトランジスタＴｒ２のゲートに接続されている。センサ入力端子ｔｅ３は、センサユニット１２の出力端子ｔｅ１２に接続されている。第２出力端子ｔｅ４は、充電回路１５に接続されている。検出端子ｔｅ５は、二次電池１６の正極に接続されている。ここで、接地端子ｔｅ０とセンサ入力端子ｔｅ３との間に生じる電圧が、センサユニット１２から入力される電圧に相当し、接地端子ｔｅ０と検出端子ｔｅ５との間に生じる電圧が、二次電池１６の出力電圧に相当する。
【００２５】
制御回路１４は、センサユニット１２が人を検知しセンサ入力端子ｔｅ３に第１レベルの電圧が入力されると、第１出力端子ｔｅ２から「Ｈｉｇｈ」レベルの電圧を出力し、トランジスタＴｒ２をオンさせる。すると、点灯装置２から発光部１１に電力が供給される。一方、制御回路１４は、センサユニット１２が人を検知せず、センサ入力端子ｔｅ３に第１レベルよりも低い第２レベルの電圧が入力されると、第１出力端子ｔｅ２から「Ｌｏｗ」レベルの電圧を出力し、トランジスタＴｒ２をオフさせる。すると、点灯装置２から発光部１１への電力供給が遮断される。以下の説明において、「Ｈｉｇｈ」レベルとは、０Ｖよりも大きい所定の大きさの電圧に相当し、「Ｌｏｗ」レベルとは、略０Ｖに相当するものとする。
【００２６】
また、制御回路１４は、検出端子ｔｅ５により二次電池１６の出力電圧を検出する。そして、制御回路１４は、二次電池１６の出力電圧が予め定められた基準電圧範囲の下限値を下回った場合、第２出力端子ｔｅ４から「Ｈｉｇｈ」レベルの電圧を出力し、充電回路１５のトランジスタＴｒ１５をオンさせる。すると、充電回路１５から二次電池１６に電流が供給される。一方、制御回路１４は、二次電池１６の出力電圧が基準電圧範囲の上限値を上回った場合、第２出力端子ｔｅ４から「Ｌｏｗ」レベルの電圧を出力し、トランジスタＴｒ１５をオフさせる。すると、充電回路１５から二次電池１６への電流供給が遮断される。
【００２７】
＜電圧供給回路＞
電圧供給回路１７は、ダイオードＤ１，Ｄ２と、コンデンサＣ２とを備える。ダイオードＤ１は、アノードが発光部１１に接続され、カソードが制御回路１４の電源端子ｔｅ１に接続されている。ここで、ダイオードＤ１のアノードは、発光部１１における、第１群Ａ１に属する複数のＬＥＤ１１ａのうち最も高電位側のＬＥＤ１１ａと第２群Ａ２に属する複数のＬＥＤ１１ａのうち最も低電位側のＬＥＤ１１ａとの間に接続されている。ダイオードＤ２は、アノードが二次電池１６の正極に接続され、カソードが制御回路１４の電源端子ｔｅ１に接続されている。コンデンサＣ２は、ダイオードＤ１，Ｄ２のカソードと負極端子ｂ１との間に接続されている。
【００２８】
ところで、第１群Ａ１を構成するＬＥＤ１１ａの個数は、点灯装置２から発光部１１に電力が供給されたときに、第１群Ａ１を構成する複数のＬＥＤ１１ａの両端間に生じる電圧が制御回路１４およびセンサユニット１２の駆動電圧よりもある程度高くなるように選択されている。例えば、制御回路１４およびセンサユニット１２の駆動電圧が１２Ｖであり、ＬＥＤ１１ａの順方向電圧が３．５Ｖである場合、第１群Ａ１に属するＬＥＤ１１ａの個数を５個にすれば、制御回路１４およびセンサユニット１２に駆動電圧よりも５．５Ｖだけ高い１７．５Ｖの電圧を供給することができる。
【００２９】
ここで、ダイオードＤ１，Ｄ２のカソードは、共に制御回路１４の電源端子ｔｅ１、センサユニット１２の電源端子ｔｅ１１および充電回路１５に接続されている。そして、電力遮断回路１３のトランジスタＴｒ１がオンしている期間中、ダイオードＤ１がオンし且つダイオードＤ２がオフすることにより、発光部１１を構成する複数のＬＥＤ１１ａの一部（第１群Ａ１に属する複数のＬＥＤ１１ａ）の両端間に生じる電圧が、制御回路１４、センサユニット１２および充電回路１５に供給される。一方、電力遮断回路１３のトランジスタＴｒ１がオフしている期間中、ダイオードＤ１がオフし且つダイオードＤ２がオンすることにより、二次電池１６から出力される電圧が制御回路１４およびセンサユニット１２に供給される。ここで、トランジスタＴｒ１がオフしている期間は、点灯装置２から発光部１１への電力供給が遮断されている期間に相当し、トランジスタＴｒ１がオンしている期間は、点灯装置２から発光部１１へ電力が供給されている期間に相当する。
【００３０】
＜１−３＞制御回路
次に、制御回路１４の各構成について詳細に説明する。
本実施の形態に係る制御回路１４および充電回路１５の回路図を図２に示す。
制御回路１４は、１つのＩＣパッケージからなり、電圧検出回路１４９と、タイマ回路１５０と、微分回路１４５と、ＲＳフリップフロップ回路１４８と、ＯＲ回路１５１と、トランジスタＴｒ１４１と、プルアップ用の抵抗Ｒ１４３と、抵抗Ｒ１４６，Ｒ１４７とを備える。なお、制御回路１４は、以下に説明する各構成が別体のＩＣパッケージからなり、当該ＩＣパッケージを組み合わせてなるものであってもよい。
【００３１】
ここで、制御回路１４のうち、微分回路１４５と、タイマ回路１５０と、ＲＳフリップフロップ回路１４８とを１つの構成と見ることができる。この構成は、センサユニット１２が人を検知したときを始時刻とし、センサユニット１２が人を検知しなくなってから所定時間（例えば、１分）経過後を終時刻とする第１期間、ＲＳフリップフロップ回路１４８から「Ｈｉｇｈ」レベルの電圧を出力する。また、この構成は、上記第１期間以外の期間は「Ｌｏｗ」レベルの電圧を出力する。
【００３２】
また、電圧検出回路１４９は、二次電池１６の出力電圧が、基準電圧範囲の下限値を下回ったときを始時刻とし、二次電池１６の出力電圧が基準電圧範囲の上限値を上回ったときを終時刻とする第２期間、ＲＳフリップフロップ回路１４４が「Ｈｉｇｈ」レベルの電圧を出力する。また、電圧検出回路１４９は、上記第２期間以外の期間は「Ｌｏｗ」レベルの電圧を出力する。
【００３３】
そして、ＯＲ回路１５１が、ＲＳフリップフロップ回路１４８の出力と、ＲＳフリップフロップ回路１４４の出力とをＯＲ演算して得られた結果をトランジスタＴｒ１４１のゲートに入力する。その結果、上記第１期間か上記第２期間のいずれかに該当する期間中、制御回路１４は、電力遮断回路１３のトランジスタＴｒ１をオンする。一方、上記第１期間および上記第２期間のいずれでもない期間中、制御回路１４は、電力遮断回路１３のトランジスタＴｒ１をオフする。以下、これらについて詳細に説明する。
【００３４】
微分回路１４５は、オペアンプ１４５ａと、抵抗Ｒ１４５と、コンデンサＣ１４５とを備える周知の微分回路から構成されている。この微分回路１４５は、センサ入力端子ｔｅ３に生じる電圧の微分電圧をタイマ回路１５０に入力する。この微分回路１４５は、センサ入力端子ｔｅ３に生じる電圧の立ち上がり時に正のパルス電圧を出力し、立ち下がり時に負のパルス電圧を出力する。
【００３５】
タイマ回路１５０は、クロック発生器１４６と、カウンタ１４７とからなる。カウンタ１４７は、微分回路１４５から負のパルス電圧が入力されると、クロック発生器１４６から入力されるクロック信号に同期して計時を開始する（以下、「タイマ回路１５０がオンする」という。）。そして、カウンタ１４７のカウント値が、クロック発生器１４６から入力されるクロック信号に同期して「０」からインクリメントされていく。その後、カウンタ１４７は、予め定められたカウント数（例えば、１分に対応するカウント数）に達すると、ＲＳフリップフロップ回路１４８のリセット端子Ｒに「Ｈｉｇｈ」レベルの電圧を入力する。その後、クロック信号の１周期経過後に、カウンタ１４７は、リセットされる（以下、「タイマ回路１５０がオフする」という。）。また、カウンタ１４７からＲＳフリップフロップ回路１４８のリセット端子Ｒに入力される電圧は、通常は「Ｌｏｗ」レベルに維持されている。
【００３６】
ＲＳフリップフロップ回路１４８は、セット端子Ｓが微分回路１４５のオペアンプ１４５ａの出力端に接続され且つリセット端子Ｒがタイマ回路１５０に接続されるとともに、出力端子ＱがＯＲ回路１５１の一方の入力端に接続されている。ＲＳフリップフロップ回路１４８は、微分回路１４５からセット端子Ｓに正のパルス電圧が入力されると、出力端子Ｑの電圧を「Ｈｉｇｈ」レベルにする。一方、タイマ回路１５０からリセット端子Ｒに「Ｈｉｇｈ」レベルの電圧が入力されると、ＲＳフリップフロップ回路１４８は、出力端子Ｑの電圧を「Ｌｏｗ」レベルにする。これにより、ＲＳフリップフロップ回路１４８は、上記第１期間中に、「Ｈｉｇｈ」レベルの電圧を出力し、上記第１期間以外の期間中に、「Ｌｏｗ」レベルの電圧を出力することができる。
【００３７】
電圧検出回路１４９は、基準電圧源１４１と、コンパレータ１４２，１４３と、ＲＳフリップフロップ回路１４４と、抵抗Ｒ１４１，Ｒ１４２と、トランジスタＴｒ１４２とを備える。基準電圧源１４１は、例えば、バンドギャップレギュレータ等からなり、電源端子ｔｅ１と接地端子ｔｅ０との間に生じる電圧よりも低い一定の基準電圧を出力する。抵抗Ｒ１４１，Ｒ１４２は、基準電圧源１４１の出力端と接地端子ｔｅ０との間に直列に接続されており、基準電圧を分圧する分圧回路を構成している。基準電圧は、二次電池１６の基準電圧範囲の上限値（例えば、１５Ｖ）に相当し、抵抗Ｒ１４１，Ｒ１４２の接続点に生じる電圧は、二次電池１６の基準電圧範囲の下限値（例えば、１３Ｖ）に相当する。
【００３８】
コンパレータ１４３は、検出端子ｔｅ５に入力される電圧が基準電圧範囲の下限値（抵抗Ｒ１４１，Ｒ１４２の接続点に生じる電圧）を下回ると、ＲＳフリップフロップ回路１４４のセット端子Ｓに「Ｈｉｇｈ」レベルの電圧を入力する。ＲＳフリップフロップ回路１４４のセット端子Ｓに「Ｈｉｇｈ」レベルの電圧が入力されると、ＲＳフリップフロップ回路１４４の出力端子Ｑの電圧が「Ｈｉｇｈ」レベルになる。
【００３９】
一方、コンパレータ１４２は、検出端子ｔｅ５に入力される電圧が基準電圧範囲の上限値（基準電圧源１４１から出力される基準電圧）を上回ると、ＲＳフリップフロップ回路１４４のリセット端子Ｒに「Ｈｉｇｈ」レベルの電圧を入力する。ＲＳフリップフロップ回路１４４のリセット端子Ｒに「Ｈｉｇｈ」レベルの電圧が入力されると、ＲＳフリップフロップ回路１４４の出力端子Ｑの電圧が「Ｌｏｗ」レベルになる。
【００４０】
ここで、検出端子ｔｅ５と接地端子ｔｅ０との間には、抵抗Ｒ１４６，Ｒ１４７を直列に接続されてなる分圧回路が介挿されている。そして、コンパレータ１４２，１４３の一方の入力端が、抵抗Ｒ１４６，Ｒ１４７の間の接続されている。このように、分圧回路を設けるのは、制御回路１４が二次電池１６からの電力供給を受けて動作している期間中でも、二次電池１６の電圧を検出できるようにするためである。
【００４１】
電池電圧をそのまま検出できない。
これにより、ＲＳフリップフロップ回路１４４は、上記第２期間中に、「Ｈｉｇｈ」レベルの電圧を出力し、上記第２期間以外の期間中に、「Ｌｏｗ」レベルの電圧を出力することができる。そして、上記第２期間中、充電回路１５では、第３端子ｔｅ２２に「Ｈｉｇｈ」レベルの電圧が入力され、トランジスタＴｒ１５がオンし、二次電池１６に電流が供給される。一方、上記第２期間以外の期間中、充電回路１５では、第３端子ｔｅ２２に「Ｌｏｗ」レベルの電圧が入力され、トランジスタＴｒ１５がオフし、二次電池１６への電流供給が遮断される。
【００４２】
トランジスタＴｒ１４２は、Ｎチャネル型ＭＯＳＦＥＴからなり、ソースが接地端子ｔｅ０に接続され且つゲートがフリップフロップ回路１４４の出力端子／Ｑに接続されるとともに、ドレインが第２出力端子ｔｅ４に接続されている。このトランジスタＴｒ１４２がオンすると、充電回路１５のトランジスタＴｒ１５のゲート電位が接地端子Ｔｅ０の電位まで下がり、トランジスタＴｒ１５がオフする。
【００４３】
ＯＲ回路１５１は、一方の入力端にＲＳフリップフロップ回路１４８の出力端子Ｑが接続され且つ他方の入力端にＲＳフリップフロップ回路１４４の出力端子Ｑが接続されている。ＯＲ回路１５１の出力端は、トランジスタＴｒ１４１のゲートに接続されている。
上記第１期間および上記第２期間のいずれかに属する期間中、ＯＲ回路１５１は、ＲＳフリップフロップ回路１４８の出力端子ＱおよびＲＳフリップフロップ回路１４４の出力端子Ｑの少なくとも一方から「Ｈｉｇｈ」レベルの電圧が入力され、トランジスタＴｒ１４１に「Ｈｉｇｈ」レベルの電圧を出力する。
【００４４】
一方、上記第１期間および上記第２期間のいずれにも属さない期間中、ＯＲ回路１５１は、ＲＳフリップフロップ回路１４８の出力端子ＱおよびＲＳフリップフロップ回路１４４の出力端子Ｑの両方から「Ｌｏｗ」レベルの電圧が入力され、トランジスタＴｒ１４１に「Ｌｏｗ」レベルの電圧を出力する。
トランジスタＴｒ１４１は、Ｐチャネル型のＭＯＳＦＥＴからなり、ソースが接地端子ｔｅ０に接続され且つゲートがＯＲ回路１５１の出力端に接続されるとともに、ドレインが第１出力端子ｔｅ２に接続されている。また、トランジスタＴｒ１４１のドレインは、抵抗Ｒ１４３を介して電源端子ｔｅ１に接続されている。これにより、トランジスタＴｒ１４１がＯＲ回路１５１の出力電圧が「Ｈｉｇｈ」レベルの場合、トランジスタＴｒ１４１はオフし、第１出力端子ｔｅ２の電圧が「Ｈｉｇｈ」レベルとなる。一方、トランジスタＴｒ１４１がＯＲ回路１５１の出力電圧が「Ｌｏｗ」レベルの場合、トランジスタＴｒ１４１がオンし、第１出力端子ｔｅ２の電圧が、「Ｌｏｗ」レベルとなる。
【００４５】
＜３＞動作
本実施の形態に係るＬＥＤモジュール１の動作を示すタイムチャートを図３および図４に示す。なお、図３に示す期間内では、タイマ回路１５０の動作については図示を省略している。以下、図３および図４を用いて説明する。
＜センサユニット１２が人を検知していない場合＞
センサユニット１２が人を検知していない場合、センサユニット１２の出力端子ｔｅ１２から制御回路１４のセンサ入力端子ｔｅ３に入力される電圧は第２レベルで維持されている（図３の時刻Ｔ２乃至Ｔ３）。このとき、制御回路１４の第１出力端子ｔｅ２の電圧は「Ｌｏｗ」レベルになる。すると、電力遮断回路１３のトランジスタＴｒ２がオフし、トランジスタＴｒ１がオフする。こうして、点灯装置２から発光部１１への電力供給が遮断され、発光部１１が消灯する。
【００４６】
この点灯装置２から発光部１１への電力供給が遮断されている期間では、ダイオードＤ１のアノード電位がカソード電位よりも低くなっており、ダイオードＤ１はオフしている。一方、コンデンサＣ２の両端間の電圧が二次電池１６の出力電圧よりもダイオードＤ２のターンオン電圧分だけ低い電圧まで低下しており、ダイオードＤ２はオンしている。そして、二次電池１６の出力電圧が、制御回路１４およびセンサユニット１２に供給されている。
【００４７】
＜センサユニット１２が人を検知した場合＞
センサユニット１２が人を検知した場合、センサユニット１２の出力端子ｔｅ１２から制御回路１４のセンサ入力端子ｔｅ３に第１レベルの電圧が入力される（図３の時刻Ｔ３）。このとき、制御回路１４の第１出力端子ｔｅ２の電圧は「Ｈｉｇｈ」レベルになる。すると、電力遮断回路１３のトランジスタＴｒ２がオンし、トランジスタＴｒ１のベースから抵抗Ｒ２を介して電流が流れることにより、トランジスタＴｒ１がオンする。こうして、点灯装置２から発光部１１へ電力が供給され、発光部１１が点灯する。
【００４８】
この点灯装置２から発光部１１に電力が供給されている期間では、各ＬＥＤ１１ａに電流が流れ、ダイオードＤ１のアノードの電位が上昇する。そして、ダイオードＤ１のアノード−カソード間の電位差が、ダイオードＤ１のターンオン電圧に達すると、ダイオードＤ１がオンする。このとき、コンデンサＣ２の両端間の電圧が二次電池１６の出力電圧よりも高くなっており、ダイオードＤ２がオフする。
【００４９】
すると、発光部１１の第１群Ａ１に属する複数のＬＥＤ１１ａの両端間の電圧が、制御回路１４、センサユニット１２および充電回路１５に供給される。このとき、コンデンサＣ２も、発光部１１からダイオードＤ１を経由して電流が流れ込むことにより充電される。
以上のように、センサユニット１２が人を検知していない場合、トランジスタＴｒ１がオフして点灯装置２から発光部１１への電力供給が遮断されるので、発光部１１から制御回路１４への電圧供給ができなくなる。そこで、本実施の形態に係るＬＥＤモジュール１では、点灯装置２から発光部１１への電力供給が遮断されている期間中、二次電池１６から制御回路１４およびセンサユニット１２に電圧を供給することにより、制御回路１４およびセンサユニット１２を常時動作させている。これにより、点灯装置２から発光部１１への電力供給が遮断されている期間中でも、センサユニット１２が、人を検知することができ、発光部１１を再度点灯させることができる。
【００５０】
＜センサユニットが人を検知しない状態で二次電池の出力電圧が低下した場合＞
図３に示すように、センサユニット１２が人を検知しない状態が長時間続くと、二次電池１６が長時間充電されず、二次電池１６の出力電圧が低下していく。
そこで、本実施の形態に係るＬＥＤモジュール１では、センサユニット１２が人を検知しない状態において、二次電池１６の出力電圧が基準電圧範囲の下限値を下回ったとき、センサユニット１２の出力に関係なく、制御回路１４が、電力遮断回路１３のトランジスタＴｒ１を強制的にオンさせる。そして、発光部１１からダイオードＤ１を介して充電回路１５に電圧を供給するとともに、充電回路１５から二次電池１６に電流を供給して二次電池１６を充電する。
【００５１】
センサユニット１２が人を検知しない状態において、二次電池１６の出力電圧が基準電圧範囲の下限値（１３Ｖ）まで低下すると（図３の時刻Ｔ１）、充電回路１５は、二次電池１６に電流を供給し二次電池１６の充電を行う。同時に、点灯装置２から発光部１１へ電力が供給され、発光部１１が点灯する。
ここでは、制御回路１４は、「Ｈｉｇｈ」レベルの電圧を電力遮断回路１３のトランジスタＴｒ２のゲートに入力することにより、トランジスタＴｒ１をオンさせ、点灯装置２から発光部１１に電力が供給され、発光部１１が点灯する。同時に、制御回路１４は、充電回路１５に「Ｈｉｇｈ」レベルの電圧を入力し充電回路１５のトランジスタＴｒ１５をオンさせ、二次電池１６に電流を供給し二次電池１６の充電を行う。ここで、充電回路１５は、制御回路１４から「Ｈｉｇｈ」レベルの電圧が入力され続ける限り、二次電池１６を充電し続ける。
【００５２】
二次電池１６の充電開始後、二次電池１６の出力電圧は、時間の経過とともに上昇していく（図３の時刻Ｔ１乃至Ｔ２）。
その後、二次電池１６の出力電圧が基準電圧範囲の上限値（１５Ｖ）に達すると（図３の時刻Ｔ２）、二次電池１６の充電を停止する。
ここでは、制御回路１４は、「Ｌｏｗ」レベルの電圧を充電回路１５のトランジスタＴｒ１５のゲートに入力することにより、トランジスタＴｒ１５をオフさせる。すると、充電回路１５では、二次電池１６への電流供給が遮断される。このとき、制御回路１４は、「Ｌｏｗ」レベルの電圧を電力遮断回路１３のトランジスタＴｒ２のゲートに入力することにより、トランジスタＴｒ１をオフさせる。すると、点灯装置２から発光部１１への電力供給が遮断され、発光部１１が消灯する。
【００５３】
以上説明したように、制御回路１４の電源端子ｔｅ１およびセンサユニット１２の電源端子ｔｅ１１には、常時基準電圧範囲の下限値（１３Ｖ）以上の電圧が供給されるので、センサユニット１２および制御回路１４の動作不良の発生が防止される。
更に、制御回路１４は、二次電池１６の出力電圧が基準電圧範囲の上限値（１５Ｖ）に達すると、充電回路１５から二次電池１６への充電を停止する。これにより、二次電池１６の過充電による二次電池１６の短寿命化を抑制することができる。
【００５４】
また、制御回路１４は、二次電池１６の出力電圧が基準電圧範囲の上限値に達するまで二次電池１６が充電されると、電力遮断回路１３のトランジスタＴｒ１をオフさせる。これにより、照明空間に人が居ないので発光部１１を点灯させる必要のない期間中に、発光部１１において電力が無駄に消費されることを抑制している。
＜センサユニットが人を検知している状態で二次電池の出力電圧が低下した場合＞
本実施の形態に係るＬＥＤモジュール１では、センサユニット１２が人を検知している状態で二次電池１６の出力電圧が基準電圧範囲の下限値を下回った場合、充電回路１５から二次電池１６に電流を供給して二次電池１６を充電する。以下、この動作について図４を用いて説明する。
【００５５】
図４に示すように、センサユニット１２が人を検知すると（図４の時刻Ｔ３）、センサユニット１２の出力端子ｔｅ１２から制御回路１４のセンサ入力端子ｔｅ３に第１レベルの電圧が入力される。そして、制御回路１４は、「Ｈｉｇｈ」レベルの電圧を電力遮断回路１３のトランジスタＴｒ２のゲートに入力することにより、トランジスタＴｒ１をオンさせる。すると、点灯装置２から発光部１１に電力が供給され、発光部１１が点灯する。
【００５６】
その後、二次電池１６の出力電圧が基準電圧範囲の下限値（１３Ｖ）まで低下すると（図４の時刻Ｔ４）、制御回路１４は、「Ｈｉｇｈ」レベルの電圧を充電回路１５のトランジスタＴｒ１５のゲートに入力することにより、トランジスタＴｒ１５をオンさせる。すると、充電回路１５では、制御回路１４から「Ｈｉｇｈ」レベルの電圧が入力され続ける限り、二次電池１６を充電し続ける。このとき、二次電池１６の出力電圧は、時間の経過とともに上昇していく（図４の時刻Ｔ４乃至Ｔ５）。その後、二次電池１６の出力電圧が基準電圧範囲の上限値（１５Ｖ）に達すると（図４の時刻Ｔ５）、二次電池１６の充電を停止する。
【００５７】
ここでは、制御回路１４は、「Ｌｏｗ」レベルの電圧を充電回路１５のトランジスタＴｒ１５のゲートに入力することにより、トランジスタＴｒ１５をオフさせる。すると、充電回路１５では、二次電池１６への電流供給が遮断される。
以上説明したように、制御回路１４は、二次電池１６の出力電圧が基準電圧範囲の上限値（１５Ｖ）に達すると、充電回路１５から二次電池１６への充電を停止する。これにより、二次電池１６の出力電圧は、基準電圧範囲の上限値（１５Ｖ）を超えることがなく、発光部１１の第１群Ａ１に属する複数のＬＥＤ１１ａの両端間に生じる電圧を超えることがない。従って、センサユニット１２が人を検知している場合、制御回路１４およびセンサユニット１２には、必ず二次電池１６からではなく発光部１１から電圧が供給される。これにより、二次電池１６の放電時間を短縮することができるので、二次電池１６の出力電圧が早期に低下してしまうことを抑制できる。
【００５８】
＜発光部を消灯するタイミングについて＞
センサユニット１２が人を検知しなくなった直後に発光部１１が消灯する構成である場合、例えば、照明空間に居た人が当該照明空間の外に出た瞬間に当該照明空間が暗くなってしまう。この構成では、その人が違和感を感じてしまうおそれがある。また、前述のように、センサユニット１２が人の動きを検知することにより人の存否を検知する構成であれば、人がほんの数秒動きを止めただけで、センサユニット１２は照明空間に人が居ないものと誤検知してしまう。すると、照明空間に人が居るにも関わらず発光部１１が消灯してしまうおそれがある。
【００５９】
そこで、本実施の形態に係るＬＥＤモジュール１では、センサユニット１２が人を検知しなくなってから所定時間（例えば、１分）経過するまで発光部１１を点灯させた状態を維持し、所定時間経過時においてセンサユニット１２がなお人を検知しない場合に発光部１１を消灯させる。以下、この動作について図４を用いて説明する。
センサユニット１２が人を検知しなくなり、センサユニット１２の出力電圧が第１レベルから第２レベルに低下すると（図４の時刻Ｔ６）、制御回路１４では、微分回路１４５からカウンタ１４７に負のパルス電圧が入力され、タイマ回路１５０がオンする。その後、制御回路１４から「Ｈｉｇｈ」レベルの電圧が電力遮断回路１３のトランジスタＴｒ２のゲートに入力され続けることにより、トランジスタＴｒ１がオン状態で維持される。そして、点灯装置２から発光部１１に電力が供給され続け、発光部１１が点灯状態を維持する。
【００６０】
図４に示すように、タイマ回路１５０がオンした後１分以内に、再びセンサユニット１２が人を検知し、センサユニット１２の出力電圧が第２レベルから第１レベルに上昇すると（図４の時刻Ｔ７）、タイマ回路１５０がオフする。
そして、センサユニット１２が再び人を検知しなくなり、センサユニット１２の出力電圧が第１レベルから第２レベルに低下すると（図４の時刻Ｔ８）、制御回路１４では、再び、微分回路１４５からカウンタ１４７に負のパルス電圧が入力され、タイマ回路１５０がオンする。タイマ回路１５０がオンしてから１分経過後（図４の時刻Ｔ９）、センサユニット１２がなお人を検知しない場合、制御回路１４から「Ｌｏｗ」レベルの電圧が電力遮断回路１３のトランジスタＴｒ２のゲートに入力される。すると、トランジスタＴｒ１がオフされ点灯装置２から発光部１１への電力供給が遮断され、発光部１１が消灯する。同時に、タイマ回路１５０がオフする。
【００６１】
その後、センサユニット１２が再び人を検知すると（図４の時刻Ｔ１０）、点灯装置２から発光部１１に電力が供給され、発光部１１が点灯する。
ここでは、制御回路１４から「Ｈｉｇｈ」レベルの電圧が電力遮断回路１３のトランジスタＴｒ２のゲートに入力され、トランジスタＴｒ１がオンする。そして、点灯装置２から発光部１１に電力が供給される。
【００６２】
＜３＞外観構成
次に、本実施の形態に係るＬＥＤモジュール１の一例と、当該ＬＥＤモジュール１を備えた照明装置の一例とについて説明する。
ＬＥＤモジュール１の外観を示す斜視図を図５（ａ）に示し、ＬＥＤモジュール１および照明器具３０を備えた照明装置３の外観を示す斜視図を図５（ｂ）に示す。
【００６３】
図５（ａ）に示すように、ＬＥＤモジュール１は、ＬＥＤ１１ａと、センサユニット１２と、プリント配線板５７と、管体５８と、第１、第２蓋体５９１，５９２とを備える。
ＬＥＤ１１ａは、長尺の矩形平板状に形成されたプリント配線板５７の一面側に実装されている。このＬＥＤ１１ａは、いわゆるＳＭＤ型の発光ダイオードである。また、プリント配線板５７の他面側には、電力遮断回路１３を構成する各部品（図示せず）と、充電回路１５および制御回路１４それぞれを構成するＩＣパッケージとが実装されている。
【００６４】
管体５８は、透光性材料から円筒形に形成され、内部にプリント配線板５７が収納されている。第１蓋体５９１および第２蓋体５９２は、管体５８の長手方向における両端それぞれを閉塞しており、第１蓋体５９１および第２蓋体５９２の内側それぞれにプリント配線板５７の端部が固定されている。第１蓋体５９１の内側には、二次電池１６が配置されている。また、第１蓋体５９１には、丸ピン型の正極端子ａ１とダミー端子５９ａとが突設されている。第２蓋体５９２には、第１蓋体５９１と同様に丸ピン型の負極端子ｂ１とダミー端子５９ｂとが突設されている。ダミー端子５９ａ，５０ｂは、ＬＥＤモジュール１を照明器具３０（図５（ｂ）参照）に固定するためのものであり、給電機能を有するものではない。
【００６５】
図５（ｂ）に示すように、照明装置３は、ＬＥＤモジュール１と、ＬＥＤモジュール１が装着された照明器具３０とから構成される。照明器具３０は、天井に直付けされる器具本体３１と、器具本体３１に設けられＬＥＤモジュール１が着脱自在に装着される一対のソケット３２と、器具本体３１の内部に収納された点灯装置２とを備える。
器具本体３１は、長尺の角筒状の形状を有し、長手方向から見た側面形状が台形である。また、器具本体３１の内部には、点灯装置２が収納されている。器具本体３１の下面における長手方向の両端部には、ソケット３２が配設されている。このソケット３２は、周知の直管形の蛍光ランプ用のソケットと略同一構造を有している。そして、ＬＥＤモジュール１の正極端子ａ１および負極端子ｂ１が、ソケット３２を介して点灯装置２の正極端子ａ２および負極端子ｂ２それぞれに電気的に接続される。
【００６６】
本実施の形態に係る照明装置３では、ＬＥＤモジュール１を、人感センサを有しないＬＥＤモジュールに付け替えることができる。つまり、照明装置３の一部を構成する照明器具３０に、人感センサを有しないＬＥＤモジュールを装着して使用することができる。
＜４＞まとめ
結局、本実施の形態に係るＬＥＤモジュール１は、点灯装置２から発光部１１へ電力を供給している期間中、発光部１１を構成する複数のＬＥＤ１１ａの一部の両端間に生じる電圧を制御回路１４に供給する。これにより、制御回路１４の駆動電圧が点灯装置２の出力電圧よりも低い場合であっても、点灯装置２の出力電圧を制御回路１４の駆動電圧に降圧するための専用の電圧源等が不要になるので、回路規模の縮小を図ることができ、ひいてはＬＥＤモジュール１の小型化を図ることができる。
【００６７】
また、点灯装置２から発光部１１への電圧供給が遮断されている期間中、電圧供給回路１７は、二次電池１６から出力される電圧を制御回路１４に供給する。これにより、点灯装置２から発光部１１への電圧供給が遮断されても制御回路１４への電圧供給を継続することができる。従って、点灯装置２から発光部１１への電圧供給が遮断されている期間中であっても、制御回路１４は、センサユニット１２の出力に応じて電力遮断回路１３を制御し、点灯装置２から発光部１１への電圧供給を再開することができる。つまり、制御回路１４のセンサユニット１２の出力に基づいてＬＥＤ１１ａを点灯消灯させる機能を持続させることができる。
【００６８】
ところで、ＬＥＤ１１ａの順方向電圧は、入力側の電圧変動や入力電流の変動に対して略一定であることが知られている。従って、発光部１１の第１群Ａ１に属する複数のＬＥＤ１１ａの両端間には、入力側の電圧変動や入力電流の変動による影響の少ない安定した電圧が生じることになる。本実施の形態に係るＬＥＤモジュール１では、この発光部１１の第１群Ａ１に属する複数のＬＥＤ１１ａの両端間に生じる安定した電圧を制御回路１４等に供給する。これにより、制御回路１４等の動作不良の発生を抑制することができる。
【００６９】
更に、制御回路１４は、二次電池１６の出力電圧が基準電圧範囲の上限値に達すると、充電回路１５から二次電池１６への充電を停止する。これにより、二次電池１６の過充電による二次電池１６の短寿命化を抑制することができる。
また、制御回路１４は、照明空間に人が居ないときに二次電池１６を充電するために、点灯装置２から発光部１１への電力供給を再開する。そして、制御回路１４は、点灯装置２から発光部１１への電力供給を再開した後、二次電池１６の出力電圧が基準電圧範囲の上限値に達するまで二次電池１６が充電されると、電力遮断回路１３のトランジスタＴｒ１をオフさせる。これにより、照明空間に人が居ないので発光部１１を点灯させる必要のない期間中に、発光部１１において電力が無駄に消費されることを抑制している。
【００７０】
また、センサユニット１２が人を検知している場合、制御回路１４およびセンサユニット１２には、発光部１１からの電圧供給を二次電池１６からの電圧供給に優先して行う。これにより、二次電池１６の放電時間を短縮することができるので、二次電池１６の出力電圧が早期に低下してしまうことを抑制できる。
＜実施の形態２＞
本実施の形態に係るＬＥＤモジュール３０１および点灯装置２の回路図を図６に示す。
【００７１】
ＬＥＤモジュール３０１は、調光切替回路３１８を備えている点が実施の形態１と相違する。また、ＬＥＤモジュール３０１は、制御回路３１４およびセンサユニット３１２の構成が実施の形態１とは異なる。なお、実施の形態１と同様の構成については同一の符号を付して適宜説明を省略する。
発光部１１を構成する複数のＬＥＤ１１ａは、低電位側から第１、第２、第３群Ａ１，Ａ２，Ａ３に区分される。そして、電圧供給回路１７は、第１群Ａ１と第２群Ａ２との間の第１接続点と、第２群Ａ２と第３群Ａ３との間の第２接続点とに接続されている。ここで、第１接続点は、第１群Ａ１に属する複数のＬＥＤ１１ａのうち最も高電位側のＬＥＤ１１ａと第２群Ａ２に属する複数のＬＥＤ１１ａのうち最も低電位側のＬＥＤ１１ａとの間に位置する。また、第２接続点は、第２群Ａ２に属する複数のＬＥＤ１１ａのうち最も高電位側のＬＥＤ１１ａと第３群Ａ３に属する複数のＬＥＤ１１ａのうち最も低電位側のＬＥＤ１１ａとの間に位置する。
【００７２】
センサユニット３１２は、照明空間における人の存否を検知するとともに、照明空間の明るさを検知する。即ち、センサユニット３１２は、いわゆる人感センサとして機能するとともにいわゆる明るさセンサとしても機能する。このセンサユニット３１２は、人感センサが人を検知していないときは出力電圧が略０Ｖである。そして、人感センサが人を検知している場合、センサユニット３１２の出力電圧は、０．５Ｖ乃至５．０Ｖの範囲内でセンサユニット３１２の周囲が明るくなるほど大きくなる。
【００７３】
調光切替回路３１８は、トランジスタＴｒ３，Ｔｒ４と、レベルシフタ３１８ａとを備え、トランジスタＴｒ３，Ｔｒ４のオンオフを適宜切り換えることにより、発光部１１を所定の調光率で点灯させる。ここで、トランジスタＴｒ３は、Ｎチャネル型ＭＯＳＦＥＴからなり、ドレインが発光部１１の第３群Ａ３に属するＬＥＤ１１ａのうち最も高電位側のＬＥＤ１１ａのアノードに接続され、ソースが上記第１接続点に接続されている。このトランジスタＴｒ３がオンすると、点灯装置２から発光部１１に供給される電流が、第２、第３群Ａ２，Ａ３に属するＬＥＤ１１ａをバイパスして第１群Ａ１に属するＬＥＤ１１ａに流れ、第１群Ａ１に属するＬＥＤ１１ａのみが点灯する。トランジスタＴｒ４は、Ｎチャネル型ＭＯＳＦＥＴからなり、ドレインが上記第２接続点に接続され、ソースが上記第１接続点に接続されている。このトランジスタＴｒ４がオンすると、点灯装置２から発光部１１に供給され第３群Ａ３に流れる電流が、第２群Ａ２に属するＬＥＤ１１ａをバイパスして第１群Ａ１に属するＬＥＤ１１ａに流れ、第１群Ａ１および第３群Ａ３に属するＬＥＤ１１ａが点灯する。
【００７４】
ところで、トランジスタＴｒ３，Ｔｒ４のソース電位は、制御回路３１４の接地端子ｔｅ０の電位よりも高くなっている。従って、制御回路３１４の第１，第２制御端子ｔｅ７，ｔｅ８から出力される電圧をそのままトランジスタＴｒ３，Ｔｒ４のゲートに入力してもトランジスタＴｒ３，Ｔｒ４が正常にオンオフできない可能性がある。
そこで、調光切替回路３１８は、レベルシフタ３１８ａを設けて、制御回路３１４の第１，第２制御端子ｔｅ７，ｔｅ８から出力される電圧レベルを上昇させることにより、トランジスタＴｒ３，Ｔｒ４を正常にオンオフさせている。このレベルシフタ３１８ａの詳細は後述する。
【００７５】
制御回路３１４および調光切替回路３１８の回路図を図７に示す。
制御回路３１４は、センサ入力端子ｔｅ３の電圧レベルを検出する電圧レベル検出回路３５１を備えている点が実施の形態１に係る制御回路１４とは相違する。なお、実施の形態１と同様の構成については同一の符号を付して適宜説明を省略する。
電圧レベル検出回路３５１は、コンパレータ３４２，３４３と、ＡＮＤ回路３４４，３４５と、抵抗Ｒ３４１，Ｒ３４２，Ｒ３４３とを備える。抵抗Ｒ３４１，Ｒ３４２，Ｒ３４３は、基準電圧源１４１の出力端と接地端子ｔｅ０との間に直列に接続されており、基準電圧を分圧する分圧回路を構成している。コンパレータ３４２は、プラス側入力端がセンサ入力端子ｔｅ３に接続され、マイナス側入力端が抵抗Ｒ３４１，Ｒ３４２の接続点に接続されている。コンパレータ３４３は、プラス側入力端がセンサ入力端子ｔｅ３に接続され、マイナス側入力端が抵抗Ｒ３４２，Ｒ３４３の接続点に接続されている。ＡＮＤ回路３４４は、２つの入力端にコンパレータ３４２，３４３の出力端が接続され、出力端が第２制御端子ｔｅ８に接続されている。ＡＮＤ回路３４５は、反転入力端と非反転入力端とを有し、反転入力端にコンパレータ３４２の出力端が接続され、非反転入力端にコンパレータ３４３の出力端が接続されている。そして、ＡＮＤ回路３４５の出力端は、第１制御端子ｔｅ７に接続されている。これにより、コンパレータ３４２によりセンサ入力端子ｔｅ３への入力電圧と抵抗Ｒ３４１，Ｒ３４２の接続点に生じる電圧が比較される。また、コンパレータ３４３によりセンサ入力端子ｔｅ３への入力電圧と抵抗Ｒ３４２，Ｒ３４３の接続点に生じる電圧が比較される。そして、コンパレータ３４２，３４３の出力同士をＡＮＤ演算した結果が第２制御端子ｔｅ８に出力される。また、コンパレータ３４２の反転出力と、コンパレータ３４３の出力とをＡＮＤ演算した結果が第１制御端子ｔｅ７に出力される。ここにおいて、抵抗Ｒ３４１，Ｒ３４２，Ｒ３４３それぞれの抵抗値は、センサ入力端子ｔｅ３の電圧境界値に基づいて定められる。例えば、抵抗Ｒ３４１，Ｒ３４２，Ｒ３４３からなる分圧回路に基準電圧が印加された場合、抵抗Ｒ３４１，Ｒ３４２の接続点に生じる電圧が３．５Ｖとなり、抵抗Ｒ３４２，Ｒ３４３の接続点に生じる電圧が２．０Ｖとなるように各抵抗Ｒ３４１，Ｒ３４２，Ｒ３４３の抵抗値が設定されている。
【００７６】
この構成を採用することにより、センサ入力端子ｔｅ３の電圧が、抵抗Ｒ３４２，Ｒ３４３の接続点に生じる電圧以下の場合、第１制御端子ｔｅ７および第２制御端子ｔｅ８の電圧が共に「Ｌｏｗ」レベルになる。
また、センサ入力端子ｔｅ３の電圧が、抵抗Ｒ３４２，Ｒ３４３の接続点に生じる電圧よりも大きく且つ抵抗Ｒ３４１，Ｒ３４２の接続点に生じる電圧以下の場合、第１制御端子ｔｅ７の電圧が「Ｈｉｇｈ」レベルになり、第２制御端子ｔｅ８の電圧が「Ｌｏｗ」レベルになる。
【００７７】
また、センサ入力端子ｔｅ３の電圧が、抵抗Ｒ３４１，Ｒ３４２の接続点に生じる電圧よりも大きい場合、第１制御端子ｔｅ７の電圧が「Ｌｏｗ」レベルになり、第２制御端子ｔｅ８の電圧が「Ｈｉｇｈ」レベルになる。
レベルシフタ３１８ａは、接地端子ｔｅ４０と、電源端子ｔｅ４１と、第１、第２入力端子ｔｅ４２，ｔｅ４３と、第１、第２出力端子ｔｅ４４，ｔｅ４５と、第１レベルシフト回路３１８ａａと、第２レベルシフト回路３１８ａｂとを備える。ここで、第１入力端子ｔｅ４２は、制御回路３１４の第２制御端子ｔｅ８に接続され、第２入力端子ｔｅ４３は、制御回路３１４の第１制御端子ｔｅ７に接続されている。
【００７８】
第１レベルシフト回路３１８ａａは、Ｎチャネル型ＭＯＳＦＥＴからなるトランジスタＱＮ１１，ＱＮ１２と、Ｐチャネル型ＭＯＳＦＥＴからなるトランジスタＱＰ１３，ＱＰ１４，と、インバータ３１８ｂとを備える。この第１レベルシフト回路３１８ａａは、第１入力端子ｔｅ４２に入力される電圧を電源端子ｔｅ４１の電圧レベルまで引き上げて第１出力端子ｔｅ４４から出力する。これにより、トランジスタＴｒ３のソース電位が発光部１１の第１群Ａ１に属する複数のＬＥＤ１１ａの両端間の電圧レベルまで上昇してもトランジスタＴｒ３をオンさせることができる。
【００７９】
第２レベルシフト回路３１８ａｂは、Ｎチャネル型ＭＯＳＦＥＴからなるトランジスタＱＮ２１，ＱＮ２２と、Ｐチャネル型ＭＯＳＦＥＴからなるトランジスタＱＰ２３，ＱＰ２４，と、インバータ３１８ｃとを備える。この第２レベルシフト回路３１８ａｂは、第２入力端子ｔｅ４３に入力される電圧を電源端子ｔｅ４１の電圧レベルまで引き上げて第２出力端子ｔｅ４５から出力する。これにより、トランジスタＴｒ４のソース電位が発光部１１の第１群Ａ１に属する複数のＬＥＤ１１ａの両端間の電圧レベルまで上昇してもトランジスタＴｒ４をオンさせることができる。
【００８０】
ところで、本実施の形態に係るＬＥＤモジュール３０１では、トランジスタＴｒ３，Ｔｒ４のソースが第１群Ａ１に属する複数のＬＥＤ１１ａの高電位側に接続され、第１群Ａ１に属する複数のＬＥＤ１１ａの低電位側が負極端子ｂ１に接続されている。ここで、全点灯時および調光点灯時のいずれの場合においても、第１群Ａ１に属する複数のＬＥＤ１１ａには電流が流れる。従って、本構成を採用することにより、全点灯時および調光点灯時のいずれの場合においても、第１群Ａ１に属する複数のＬＥＤ１１ａの両端間に生じる電圧を制御回路３１４、センサユニット３１２および充電回路１５に供給できる。
【００８１】
次に、本実施の形態に係るＬＥＤモジュール３０１の動作について説明する。
まず、制御回路３１４のセンサ入力端子ｔｅ３に入力される電圧と、トランジスタＴｒ３，Ｔｒ４のオンオフとの関係について図７を用いて説明する。
例えば、電圧レベル検出回路３１４の抵抗Ｒ３４１，Ｒ３４２の接続点に生じる電圧が３．５Ｖであり、抵抗Ｒ３４２，Ｒ３４３の接続点に生じる電圧が２．０Ｖであるとする。
【００８２】
まず、センサユニット３１２が人を検知している場合について説明する。
センサ入力端子ｔｅ３に入力される電圧が２．０Ｖ以下の場合、コンパレータ３４２，３４３の両方から「Ｌｏｗ」レベルの電圧が出力され、ＡＮＤ回路３４４，３４５の両方から「Ｌｏｗ」レベルの電圧が出力される。この結果、トランジスタＴｒ３，Ｔｒ４は両方オフする。この状態では、発光部１１の第１群Ａ１乃至Ａ３に属するＬＥＤ１１ａの全てに電流が流れる。これにより、第１群Ａ１乃至Ａ３に属する全てのＬＥＤ１１ａが点灯する。以下、このときの発光部１１の調光率を１００％として説明する。
【００８３】
センサ入力端子ｔｅ３に入力される電圧が２．０Ｖよりも高く且つ３．５Ｖ以下の場合、コンパレータ３４２から「Ｌｏｗ」レベルの電圧が出力され、コンパレータ３４３から「Ｈｉｇｈ」レベルの電圧が出力される。すると、ＡＮＤ回路３４４から「Ｌｏｗ」レベルの電圧が出力され、ＡＮＤ回路３４５から「Ｈｉｇｈ」レベルの電圧が出力される。この結果、トランジスタＴｒ３はオフし、トランジスタＴｒ４はオンする。この状態では、発光部１１の第２群Ａ２に属するＬＥＤ１１ａには電流が流れず、発光部１１の第１群Ａ１および第３群Ａ３に属するＬＥＤ１１ａにのみ電流が流れる。これにより、第１群Ａ１および第３群Ａ３に属するＬＥＤ１１ａが点灯し、第２群Ａ２に属するＬＥＤ１１ａは消灯する。このとき、発光部１１の調光率は、約７０％となる。
【００８４】
センサ入力端子ｔｅ３に入力される電圧が３．５Ｖよりも高い場合、コンパレータ３４２，３４３の両方から「Ｈｉｇｈ」レベルの電圧が出力され、ＡＮＤ回路３４４から「Ｈｉｇｈ」レベルの電圧が出力され、ＡＮＤ回路３４５から「Ｌｏｗ」レベルの電圧が出力される。この結果、トランジスタＴｒ３はオンし、トランジスタＴｒ４はオフする。この状態では、発光部１１の第２群Ａ２および第３群Ａ３に属するＬＥＤ１１ａには電流が流れず、発光部１１の第１群Ａ１に属するＬＥＤ１１ａにのみ電流が流れる。これにより、第１群Ａ１に属するＬＥＤ１１ａが点灯し、第２群Ａ２および第３群Ａ３に属するＬＥＤ１１ａは消灯する。このとき、発光部１１の調光率は、約４０％となる。
【００８５】
次に、センサユニット３１２が人を検知していない場合について説明する。
この場合、センサユニット３１２の出力端子ｔｅ１２から制御回路３１４のセンサ入力端子ｔｅ３に入力される電圧は、略０Ｖとなる。すると、制御回路３１４の第１出力端子ｔｅ２から電力遮断回路１３のトランジスタＴｒ２のゲートに「Ｌｏｗ」レベルの電圧が入力され、トランジスタＴｒ２がオフし、同時に、トランジスタＴｒ１もオフする。そして、点灯装置２から発光部１１への電圧供給が遮断され、発光部１１の第１群Ａ１乃至第３群Ａ３に属するＬＥＤ１１ａ全てが消灯する。また、前述のように、センサユニット３１２からセンサ入力端子ｔｅ３に入力される電圧は、略０Ｖ、つまり、２．０Ｖ以下であるから、トランジスタＴｒ３，Ｔｒ４の両方がオフしている。
【００８６】
以上のように、トランジスタＴｒ３，Ｔｒ４それぞれのオンオフに応じて発光部１１の明るさが変わる。以上の制御回路３１４のセンサ入力端子ｔｅ３に入力される電圧と、トランジスタＴｒ３，Ｔｒ４のオンオフとの関係をまとめた表を図８に示す。
結局、本実施の形態に係るＬＥＤモジュールでは、センサユニット３１２が人を検知している場合、センサユニット３１２の出力電圧が大きくなると（センサユニット３１２の周囲が明るくなると）、発光部１１の調光率を低下させる。これにより、発光部１１での消費電力を低減することができるので、省エネルギ化を図ることができる。
【００８７】
一方、センサユニット３１２の出力電圧が低くなると（センサユニット３１２の周囲が暗くなると）、発光部１１の調光率を上昇させる。これにより、照明空間の明るさを確保することができるので、照明空間の快適性維持を図ることができる。
なお、本実施の形態では、調光切替回路３１８が２つのトランジスタＴｒ３，Ｔｒ４を備えており、発光部１１の出力を３段階に切り替えることができる例について説明したが、トランジスタの数は２つに限定されるものではない。例えば、トランジスタの数を３つ以上にして、発光部１１の出力を４段階以上に切り替えることができるようにしてもよい。これにより、発光部１１の出力をさらに細かく切り替えることができるので、その分、省エネルギ化を図ることができる。
【００８８】
＜実施の形態３＞
本実施の形態に係るＬＥＤモジュール２０１および点灯装置２０２の回路図を図９に示す。
ＬＥＤモジュール２０１は、抵抗可変回路（外部出力手段）２１３と、負荷判別用端子ｃ１とを備えている点が実施の形態１と相違する。点灯装置２０２は、負荷判別回路（電力供給制御回路）２２２と、負荷判別用端子ｃ２と、直流電源（第１電源）２０と定電流源２１との間に介挿された電力遮断回路２２３とを備える点が実施の形態１と相違する。なお、実施の形態１と同様の構成については同一の符号を付して適宜説明を省略する。
【００８９】
抵抗可変回路２１３は、負荷判別用端子ｃ１と負極端子ｂ１との間に接続され、センサユニット１２からセンサ入力端子ｔｅ３に入力される電圧に応じて負荷判別用端子ｃ１と負極端子ｂ１との間の抵抗値を変化させる。抵抗可変回路２１３は、トランジスタＴｒ２０２と、抵抗Ｒ３，Ｒ４，Ｒ２０５と、負荷判別用端子ｃ１とを備える。トランジスタＴｒ２０２は、ソースが負極端子ｂ１に接続され且つゲートが抵抗Ｒ３，Ｒ４の接続点に接続されるとともに、ドレインが負荷判別用の抵抗Ｒ２０５を介して負荷判別用端子ｃ１に接続されている。ここで、トランジスタＴｒ２は、制御回路１４の第１出力端子ｔｅ２の電圧（制御電圧）の電圧レベルに応じてオンオフする。そして、制御回路１４の第１出力端子ｔｅ２の電圧レベルは、実施の形態１で説明したように、センサユニット１２からセンサ入力端子ｔｅ３に入力される電圧に応じて変化する。
【００９０】
負荷判別回路２２２の回路図を図１０に示す。
負荷判別回路２２２は、１つのＩＣパッケージからなり、基準電圧源２２３と、抵抗Ｒ２２２ａ，２２２ｂと、コンパレータ２２４と、接地端子ｔｅ３０と、電源端子ｔｅ３１と、入力端子ｔｅ３２と、出力端子ｔｅ３３とを備える。
基準電圧源２２３は、例えば、バンドギャップレギュレータ等から構成され、電源端子ｔｅ３１と接地端子ｔｅ３０との間に生じる電圧よりも低い一定の基準電圧を出力する。抵抗Ｒ２２２ａ，２２２ｂは、電源端子ｔｅ３１と接地端子ｔｅ３０との間に直列に接続され、抵抗Ｒ２２２ａ，Ｒ２２２ｂの接続点は、入力端子ｔｅ３２に接続されている。コンパレータ２２４は、プラス側入力端が基準電圧源２２３に接続され、マイナス側入力端が抵抗Ｒ２２２ａ，Ｒ２２２ｂの接続点に接続されている。
【００９１】
負荷判別用端子ｃ２は、負荷判別回路２２２の入力端子ｔｅ３２に接続されている。
ここで、負荷判別回路２２２の抵抗Ｒ２２２ａ，Ｒ２２２ｂの接続点に生じる電圧と、直流電源２０の電圧との間には以下の式（１）および式（２）の関係式が成立する。
（トランジスタＴｒ２０２がオンの場合）
【００９２】
【数１】
2014017184.tif 000003
【００９３】
（トランジスタＴｒ２０２がオフの場合）
【００９４】
【数２】
2014017184.tif 000004
【００９５】
ここで、抵抗Ｒ２０５，Ｒ２２２ａ，Ｒ２２２ｂそれぞれの抵抗値をＲ２０５，Ｒ２２２ａ，Ｒ２２２ｂと表し、直流電源２０の出力電圧をＶｃｃ、負荷判別回路２２２の抵抗Ｒ２２２ａ，Ｒ２２２ｂの接続点に生じる電圧をＶＲａｂｏｎ，ＶＲａｂｏｆｆと表している。
ここで、各抵抗Ｒ２０５，Ｒ２２２ａ，Ｒ２２２ｂの抵抗値は、基準電圧をＶ０とすると、式（３）の関係式が成立するように設定されている。
【００９６】
【数３】
2014017184.tif 000005
【００９７】
従って、トランジスタＴｒ２０２がオンし、抵抗Ｒ２２２ａ，Ｒ２２２ｂの接続点に生じる電圧が基準電圧以下の電圧ＶＲａｂｏｎである場合、コンパレータ２２４は、「Ｈｉｇｈ」レベルの電圧を出力端子ｔｅ３３に出力する。一方、トランジスタＴｒ２０２がオフし、抵抗Ｒ２２２ａ，Ｒ２２２ｂの接続点に生じる電圧が基準電圧よりも大きい電圧ＶＲａｂｏｆｆである場合、コンパレータ２２４は、「Ｌｏｗ」レベルの電圧を出力端子ｔｅ３３に出力する。
【００９８】
電力遮断回路２２３は、トランジスタ等を用いた半導体スイッチから構成され、負荷判別回路２２２から入力される電圧が「Ｈｉｇｈ」レベルになるとオンし、負荷判別回路２２２からの入力される電圧が「Ｌｏｗ」レベルになるとオフする。なお、電力遮断回路２２３は、半導体スイッチに限定されるものではなく、例えば、リレー式スイッチから構成されるものであってもよい。
【００９９】
次に、本実施の形態に係るＬＥＤモジュール２０１の動作について図９および図１０を用いて説明する。ここでは、センサユニット１２が人を検知している場合、センサユニット１２が人を検知していない場合それぞれのＬＥＤモジュール２０１の動作について説明する。
センサユニット１２が人を検知している場合、センサユニット１２の出力端子ｔｅ１２から制御回路１４のセンサ入力端子ｔｅ３に「Ｈｉｇｈ」レベルの電圧が入力される。
【０１００】
すると、制御回路１４の第１出力端子ｔｅ２から抵抗可変回路２１３のトランジスタＴｒ２のゲートに「Ｈｉｇｈ」レベルの電圧が入力され、トランジスタＴｒ２がオンする。このとき、負荷判別用端子ｃ１と負極端子ｂ１との間の抵抗値は、抵抗Ｒ２０５の抵抗値に略等しくなる。すると、負荷判別回路２２２では、抵抗Ｒ２２２ａ，２２２ｂの接続点に生じる電圧が基準電圧以下にまで低下し、コンパレータ２２４から出力端子ｔｅ３３に「Ｈｉｇｈ」レベルの電圧が出力される。負荷判別回路２２２の出力端子ｔｅ３３から電力遮断回路２２３に「Ｈｉｇｈ」レベルの電圧が入力されると、電力遮断回路２２３はオンする。そして、点灯装置２０２から発光部１１に電圧が供給され、発光部１１が点灯する。
【０１０１】
このとき、発光部１１の第１群Ａ１に属するＬＥＤ１１ａに電流が流れ、ダイオードＤ１がオンするとともに、ダイオードＤ２がオフする。そして、第１群Ａ１に属する複数のＬＥＤ１１ａの両端間に生じる電圧が、制御回路１４、センサユニット１２および充電回路１５に供給される。
一方、センサユニット１２が人を検知していない場合、センサユニット１２の出力端子ｔｅ１２から制御回路１４のセンサ入力端子ｔｅ３に「Ｌｏｗ」レベルの電圧が入力される。
【０１０２】
すると、制御回路１４の第１出力端子ｔｅ２から抵抗可変回路２１３のトランジスタＴｒ２のゲートに「Ｌｏｗ」レベルの電圧が入力され、トランジスタＴｒ２がオフする。このとき、負荷判別用端子ｃ１と負極端子ｂ１との間の抵抗値は、非常に高い値になる。すると、負荷判別回路２２２では、抵抗Ｒ２２２ａ，２２２ｂの接続点に生じる電圧が基準電圧よりも大きくなり、コンパレータ２２４から出力端子ｔｅ３３に出力される電圧が「Ｌｏｗ」レベルになる。負荷判別回路２２２の出力端子ｔｅ３３から電力遮断回路２２３に入力される電圧が「Ｌｏｗ」レベルとなると、電力遮断回路２２３はオフする。そして、点灯装置２０２から発光部１１への電流供給が遮断され、発光部１１が消灯する。
【０１０３】
このとき、発光部１１の第１群Ａ１に属するＬＥＤ１１ａに流れる電流が遮断され、ダイオードＤ１がオフし、その後、コンデンサＣ２の両端間の電圧が二次電池（第２電源）１６の出力電圧よりも低下すると、ダイオードＤ２がオンする。そして、二次電池１６の出力電圧が、制御回路１４およびセンサユニット１２に供給される。
結局、本実施の形態に係るＬＥＤモジュール２０１では、センサユニット１２が人を検知しているか否かにより、負荷判別用端子ｃ１と負極端子ｂ１との間の抵抗値が異なる。そして、点灯装置２の負荷判別回路２２２が、負荷判別用端子ｃ１と負極端子ｂ１との間の抵抗値の大きさに応じて電力遮断回路２２３をオンオフさせる。
【０１０４】
このＬＥＤモジュール２０１は、図９に示すように、直流電源２０から発光部１１への電力供給を遮断する電力遮断回路２２３が、ＬＥＤモジュール２０１の外部に設けられた構成であっても、電力遮断回路２２３を制御することができるという利点がある。
ところで、日本電球工業会規格ＪＥＬ８０１に則って製造された直管形ＬＥＤランプ（ＬＥＤモジュール）の中には、接続判別用抵抗と、負荷判別用端子とを備えたものがある（以下、「接続判別機能付きＬＥＤモジュール」と称する。）。このＬＥＤモジュールは、点灯装置に正常に接続された状態では点灯装置側から見た負荷判別用端子と負極端子との間の抵抗値が接続判別用抵抗の抵抗値と略同じになる。一方、ＬＥＤモジュールと点灯装置との接続不良が生じた場合、点灯装置側から見た負荷判別用端子と負極端子との間の抵抗値が極端に大きくなる。
【０１０５】
これに対して、実施の形態３で説明した点灯装置２０２は、負荷判別用端子ｃ２を、接続判別機能付きＬＥＤモジュールの負荷判別用端子に接続することができる。すると、点灯装置２０２と当該ＬＥＤモジュールとの接続不良が生じ負荷判別用端子と負極端子との間の抵抗値が増大すると、負荷判別回路２２２がこれを検知し、電力遮断回路２２３をオフする。そして、点灯装置２０２からＬＥＤモジュールへの電圧供給を停止することができる。これにより、点灯装置２０２とＬＥＤモジュールとの接続不良が生じた状態で、点灯装置２０２からＬＥＤモジュールに電圧が供給され続けることを防止できるので、安全性向上を図ることができる。
【０１０６】
＜変形例＞
（１）実施の形態１乃至３では、内部電源として二次電池１６を備える構成について説明したが、これに限定されるものではなく、例えば、二次電池１６の代わりに一次電池を備えた構成であってもよい。この場合、充電回路１５がない構成とすればよい。これにより、ＬＥＤモジュール１の回路規模の縮小を図ることができる。
【０１０７】
（２）実施の形態１では、センサユニット１２が人を検知している場合（発光部１１が不点灯時）において、二次電池１６の出力電圧が基準電圧範囲の下限値を下回ったとき、電力遮断回路１３のトランジスタＴｒ１を強制的にオンさせて二次電池１６を充電する構成について説明したが、これに限定されるものではない。例えば、発光部１１が不点灯時には、二次電池１６の充電を全く行わず、発光部１１の点灯時に二次電池１６の出力電圧が基準電圧範囲の下限値を下回ったときに、二次電池１６の充電を行うようにしてもよい。
【０１０８】
（２）実施の形態１乃至３では、センサユニット１２が人を検知しなくなってから所定時間（例えば、１分）の間、発光部１１を点灯させる構成について説明したが、これに限定されるものではない。例えば、センサユニット１２が人を検知しなくなると直ちに発光部１１を消灯させる構成であってもよい。この場合、制御回路１４内にタイマ回路１５０を設ける必要がないので、制御回路１４の回路規模の縮小を図ることができる。
【０１０９】
（３）実施の形態１乃至３では、発光部１１が複数のＬＥＤ１１ａからなる例について説明したが、これに限定されるものではなく、例えば、発光部１１が有機ＥＬ素子等を用いた発光素子からなるものであってもよい。
（４）実施の形態１乃至３では、二次電池１６として、リチウムイオン電池等を用いる例について説明したが、これに限定されるものではなく、例えば、二重層コンデンサ等を用いるものであってもよい。この場合、充電回路１５を不要とすることができるので、ＬＥＤモジュールの回路規模の縮小を図ることができる。
【０１１０】
（５）実施の形態１乃至３では、人感センサや明るさセンサを備える例について説明したが、センサの種類はこれに限定されるものではない。例えば、照明空間に居る人が所持する信号発信機（例えば、リモートコントローラ等）から送信される信号を受信する信号受信機からなるものであってもよい。ここで、信号搬送波が赤外線の場合は、信号受信機は、赤外線センサと、当該赤外線センサで受信した信号を復調する信号処理部とを備えた構成とすればよい。また、信号搬送波が電波の場合は、信号受信機は、アンテナと、当該アンテナで受信した信号を復調する信号処理部とを備えた構成とすればよい。
【０１１１】
（６）実施の形態１乃至３では、充電回路１５が発光部１１から電圧供給を受けて二次電池１６を充電する構成について説明したが、充電回路１５への電圧供給元は発光部１１に限定されるものではない。例えば、ＬＥＤモジュール１が、太陽電池を備えており、充電回路１５が当該太陽電池から電圧供給を受けて二次電池を充電するようにしてもよい。
（７）実施の形態１乃至３で説明した、図２および図７に示す制御回路の構成は、一例であり、同様の機能を有する構成であれば別の構成であってもよい。
【０１１２】
（８）実施の形態３では、ＬＥＤモジュール２０１が抵抗可変回路２１３を備える例について説明したが、制御回路１４から出力される電圧を外部に出力することができれば、この回路に限定されるものではない。例えば、制御回路１４の第１出力端子ｔｅ３の電圧に応じて２値レベルの電圧を出力する他の論理回路を採用してもよい。
【符号の説明】
【０１１３】
１，２０１，３０１  ＬＥＤモジュール
２，２０２  点灯装置
３        照明装置
１１      発光部
１１ａ    ＬＥＤ
１２，３１２  センサユニット
１３，２２３  電力遮断回路
１４，３１４  制御回路
１５      充電回路
１６      二次電池（内部電源、第２電源）
１７      電圧供給回路
２０      直流電源（外部電源、第１電源）
２１      定電流源
３０      照明器具
３１      器具本体
３２      ソケット
５７      プリント配線板
５８      管体
２１３    抵抗可変回路（外部出力手段）
２２２    負荷判別回路（電力供給制御回路）
３１８    調光切替回路
３１８ａ  レベルシフタ
５９１    第１蓋体
５９２    第２蓋体
ａ１，ａ２  正極端子
ｂ１，ｂ２  負極端子
ｃ１，ｃ２  負荷判別用端子
Ｄ１，Ｄ２  ダイオード
Ｒ２０５  抵抗
Ｔｒ１，Ｔｒ２，Ｔｒ３，Ｔｒ４  トランジスタ
【図１】
2014017184.tif 000006
【図２】
2014017184.tif 000007
【図３】
2014017184.tif 000008
【図４】
2014017184.tif 000009
【図５】
2014017184.tif 000010
【図６】
2014017184.tif 000011
【図７】
2014017184.tif 000012
【図８】
2014017184.tif 000013
【図９】
2014017184.tif 000014
【図１０】
2014017184.tif 000015